(57)【要約】【課題】半永久的に残ることがなく、また、動植物の生育も阻害しにくい木材を用いた割栗石代替材を提供することを目的とする。【解決手段】表層に炭化層を有する小塊状の木材からなる割栗石代替材を用いる。また、複数個の割栗石代替材を土壌に敷設または埋設することにより、土留構造体、擁壁構造体、舗装構造体、土壌構造体を形成する。【選択図】図１
2015061964.tif 000002
【特許請求の範囲】
【請求項１】
表層に炭化層を有する小塊状の木材からなることを特徴とする割栗石代替材。
【請求項２】
前記炭化層の厚みが２〜１５ｍｍである請求項１に記載の割栗石代替材。
【請求項３】
断面の少なくとも一つが鋭角を有する多角形状である請求項１または２に記載の割栗石代替材。
【請求項４】
断面の少なくとも一つが台形状である請求項３に記載の割栗石代替材。
【請求項５】
見掛け体積が１０〜８０００ｃｍ3である請求項１〜４の何れか１項に記載の割栗石代替材。
【請求項６】
複数個の請求項１〜５の何れか１項に記載の割栗石代替材を土壌に敷設及び／または埋設し、それらをネットで固定して形成されることを特徴とする土留構造体。
【請求項７】
前記ネットが生分解性素材から形成されている請求項６に記載の土留構造体。
【請求項８】
複数個の請求項１〜５の何れか１項に記載の割栗石代替材、または請求項６または７に記載の土留構造体を斜面の土壌に敷設及び／または埋設して形成されることを特徴とする擁壁構造体。
【請求項９】
複数個の請求項１〜５の何れか１項に記載の割栗石代替材、または請求項６または７に記載の土留構造体を未舗装路に敷設及び／または埋設して形成されることを特徴とする舗装構造体。
【請求項１０】
複数個の請求項１〜５の何れか１項に記載の割栗石代替材を畑に埋設して形成されることを特徴とする土壌構造体。
【発明の詳細な説明】
【技術分野】
【０００１】
本発明は、土木工事に用いられる、１０〜２０ｃｍ程度の割られた石であるいわゆる割栗石の代替材及びこれを用いた各種構造体に関する。
【背景技術】
【０００２】
割栗石は、岩石を打ち割って製造される１０〜２０ｃｍ程度の小塊状の石材であり、土木工事の材料として広く用いられている。具体的には、山斜面や道路脇等の崖や、川岸や海岸や池岸等の堤に積んで土壌の土留め材として用いたり、例えば、下記特許文献１に開示されたように擁壁を形成するための材料として用いたり、金属ネットに充填された割栗石を土壌斜面に配して突き固めたりするための材料として用いられている。また、地盤の基礎を形成するために割栗石を相互にかみ合わせながら土壌地盤を突き固める割栗石地業にも用いられる。また、未舗装の道に割栗石を敷設して突き固めるための舗装材としても用いられる。
【０００３】
ところで、林業においては、人工林を保全するために間伐が行われている。間伐は森林の成長過程で密集化する立木を間引くことにより、太くしっかりした木を育てるための作業である。間伐では多くの間伐材が発生するが、間伐材は価格が安く、間伐の有効な利用方法が少なく、重労働の間伐作業に応じた充分な収益は得られにくい。従来、日本の森林の多くは、林業従事者により、植林や間伐等の手入れを施すことにより保全されてきたが、近年、海外からの著しく安価な木材が大量に輸入されることにより、国産材を生産する林業経営が経済的に厳しくなっている事情がある。このような日本の森林の林業経営の厳しさは、国内の林業従事者の人手不足を招き、結果として、間伐が充分に行われない荒れた森林を増やしている。間伐が充分に行われていない森林においては、太い気が育たず、その結果、山の保水力や土留め力が低下して、大水や山崩れ等の災害を引き起こすおそれもある。
【０００４】
林業従事者による間伐を衰退させないための試みとして、高付加価値を実現しうる間伐材の新たな活用方法が模索されている。従来、間伐材は、建築現場の足場材や木柵の材料、割箸材、木炭材等として用いられていた。このような従来の用途とは異なる新たな用途として、木質バイオマスの原料としての利用も試みられている。
【先行技術文献】
【特許文献】
【０００５】
【特許文献１】特開２０００−２０４５７１号公報
【発明の概要】
【発明が解決しようとする課題】
【０００６】
山斜面や道路脇等の崖や、川岸や海岸や池岸等の堤の土壌の土留めを図るために割栗石を用いた場合、次のような問題があった。割栗石を用いて擁壁等を形成した場合、割栗石は石材であるために、人為的に割栗石を除去する作業を行わない限り、割栗石はその場所に半永久的に残ってしまう。また、森林の山斜面や川岸に割栗石を敷設した場合、割栗石には微生物や菌類等が育ちにくいために、割栗石を敷設した部分にはそれらを栄養源とする動植物も育ちにくくなったり、その山斜面の植生が著しく乏しくなったりするという問題があった。また、割栗石は、採石場の近辺の石材加工場で生産された後、施工現場まで運搬される。石材加工場から施工現場までの距離が遠い場合には、大量の割栗石を運搬するために多大なコストが掛かるという問題もあった。
【０００７】
また、特許文献１は、擁壁を形成するための充填剤として、割栗石の他、木材を開示している。しかしながら、擁壁を形成するための材料として木材を用いた場合には、数か月から数年で腐食してしまうという問題があった。
【０００８】
本発明は、数十年から数百年程度で分解し、また、動植物の生育も阻害しにくい木材を用いた割栗石代替材を提供することを目的とする。
【課題を解決するための手段】
【０００９】
本発明に係る割栗石代替材は、表層に炭化層を有する小塊状の木材からなる。このような割栗石代替材は木材を主体とする素材であるために、土木工事に用いた場合、無機物である割栗石のように半永久的に残ることがなく、また、微生物や菌類等の生育を阻害しないために森林や河岸の環境に対する負荷が低い。また、少なくともその表層に炭化層を有するために、炭化層を有しない木材のように、数か月や数年程度で腐食分解することはなく、数十年から数百年程度の期間において徐々に分解するために割栗石の代替材としての機能を充分に発揮する。さらに、土木工事の施工現場の近辺から間伐材等の木材を調達できる場合には、多大な運搬コストを掛けずに、木材の形状を整えて炭化処理するだけで、製造することができる。また、副次的には、割栗石代替材の炭化層から溶出する多量のミネラル分やアルカリ性物質等は土壌を改質する効果も発揮する。炭化層の厚みとしては３〜１５ｍｍであることが木材の短期間での腐食を充分に抑制できる点から好ましい。
【００１０】
割栗石代替材は、断面の少なくとも一つが鋭角を有する多角形状であること、さらには、断面の少なくとも一つが台形状であることが好ましい。このような鋭角を有する多角形状の断面を有する割栗石代替材は、表面に角ばった部分を有するために、複数の割栗石代替材を土壌に敷きこんだ場合に、互いに噛みあいやすいために力が掛かっても流れることなく、土壌に安定的に固定することができる。
【００１１】
割栗石代替材の大きさは特に限定されないが、見掛け体積が１０〜８０００ｃｍ3であることが、作業性及び土壌に安定的に固定できる点から好ましい。
【００１２】
また、本発明に係る土留構造体は、複数個の上述した割栗石代替材を土壌に敷設及び／または埋設し、ネットで固定して形成されるものである。このようなネットとしては、自然分解性素材から形成されていることが環境負荷が低い点から好ましい。
【００１３】
また、本発明に係る擁壁構造体は、複数個の上述した割栗石代替材または土留構造体を斜面の土壌に敷設して形成されるものである。また、本発明に係る舗装構造体は、複数個の上述した割栗石代替材または土留構造体を未舗装路に敷設して形成されるものである。このような擁壁構造体や舗装構造体は、数十年から数百年程度で徐々に分解し、また、動植物の育つ森林や河岸の環境に対する負荷が低い。
【発明の効果】
【００１４】
本発明によれば、数十年から数百年程度で分解し、また、動植物の生育も阻害しにくい木材を用いた割栗石代替材を提供することができる。
【図面の簡単な説明】
【００１５】
【図１】図１（ａ）は実施形態の割栗石代替材の斜視模式図、図１（ｂ）は図１（ａ）のＡ−Ａ’断面における断面模式図である。
【図２】図２は土壌斜面２に割栗石代替材１を用いて擁壁を形成したときの様子を説明するための説明図である。
【図３】図３は土壌斜面２にカゴ状のネット３に割栗石代替材を充填して得られた土留構造体を配したときの様子を説明するための説明図である。
【図４】図４は未舗装路に割栗石代替材を配して形成した舗装構造体を説明するための説明図である。
【図５】図５は畝が形成された畑３５に、複数個の割栗石代替材１を埋設した土壌構造体４０を説明するための説明図である。
【発明を実施するための形態】
【００１６】
以下、本発明に係る割栗石代替材、土留構造体、擁壁構造体、舗装構造体及び土壌構造体の実施形態を図１〜図５を参照しながら説明する。
【００１７】
図１（ａ）は本発明に係る割栗石代替材の一例である割栗石代替材１の斜視模式図であり、図１（ｂ）は図１（ａ）のＡ−Ａ’断面における断面模式図である。割栗石代替材１は、中心部に存在する木材層１ａとその表層に存在する炭化層１ｂとを有する小塊状の木材からなる。このような割栗石代替材を土木工事に用いた場合には、木材を原料とする割栗石代替材は無機物の割栗石のように半永久的に残ることがなく、また、動植物の育つ森林や河岸の環境に対する負荷が低い。さらに、土木工事の施工現場の近辺から間伐材等の木材を調達できる場合には、多大な運搬コストを掛けずに、現場の近辺で木材の形状を整えて炭化処理するだけで製造することができる。
【００１８】
割栗石代替材は表層に炭化層を有する。そのために、数か月や数年で腐食分解することはなく、数十年から数百年程度で徐々に分解するために割栗石の代替材としての機能を充分に発揮する。表面の炭化状態は特に限定されず、腐食により短期間で崩壊することが抑制される程度に炭化されている限り特に限定されないが、表面から深く炭化されていればいるほど、腐食しにくくなる。
【００１９】
炭化層の厚みとしては、割栗石代替材の形状にもよるが、例えば、２〜１５ｍｍ、さらには３〜１０ｍｍ、とくには５〜８ｍｍ程度であることが好ましい。炭化層の厚みが薄すぎる場合には、腐食を抑制する効果が不充分になり、厚すぎる場合には、長期間腐食しにくくなるとともに、生産性も低下する傾向がある。また、割栗石代替材中の炭化層の体積割合は特に限定されないが、例えば、１〜５０体積％、さらには１０〜４０体積％程度であることが好ましい。
【００２０】
割栗石代替材の原料となる木材の種類は、マツ，スギ，ヒノキ等の針葉樹や、ウバメガシ，カシ，クヌギ，クリ等の広葉樹等、特に限定なく用いられる。なお、土木工事の施工現場の近辺から間伐材等の木材を調達できる場合には、間伐材を原料として製造することにより、割栗石を運搬する際に発生する多大な運搬コストが削減できる点から特に好ましい。
【００２１】
割栗石代替材の形状は小塊状である限り特に限定されないが、斜面や岸に、複数個の割栗石代替材を重ねたり並べたりして配置したときに、崩れたり、安定しなかったりすることを防ぐ点から、外形に鋭角を有するように、任意の断面の少なくとも一つが鋭角を有する多角形状になるような形状、さらには、断面の少なくとも一つが台形状や略楔形のような鋭角を有する形状であることが好ましい。鋭角を有する多角形状の断面を有する場合には外形にも鋭角が形成されるために、複数の割栗石代替材を土壌に敷きこんだ場合に、角で互いに噛みあいやすくなり、力が掛かっても流れることなく、土壌に安定的に固定される。
【００２２】
割栗石代替材の大きさは特に限定されず、配置される場所及び目的に応じて適宜選択される。その見掛け体積としては、１０〜８０００cm3、さらには、１００〜１０００cm3程度であることが作業性及び土壌に安定的に固定できる点から好ましい。
【００２３】
また、割栗石が大きさでランク分けされているように、例えば、大、中、小のようにランク分けされた複数の大きさのものを準備して、用途に応じて選択してもよい。例えば、図１のような形状の場合、Ｈ及びＷで示される部分の長さが８〜１０ｃｍ程度、で見掛け体積が１０００cm3以上のものを大とし、Ｈ及びＷで示される部分の長さが６〜８ｃｍ程度であり、見掛け体積が２００〜１０００cm3程度のものを中とし、Ｈ及びＷで示される部分の長さが６ｃｍ以下、または見掛け体積が２００cm3以下のものを小のようにランク分けし、用途に応じて使い分けてもよい。
【００２４】
次に、このような割栗石代替材を用いて施工された擁壁構造体を図２を参照して説明する。図２は土壌斜面２に割栗石代替材１を用いて擁壁を形成したときの様子を説明するための説明図である。図２においては、擁壁１０は、土壌斜面２に高さ方向、幅方向、厚み方向に３次元的に積層されるように複数個の割栗石代替材料１を埋め込んで突き固めて形成されている。このような擁壁１０を形成することにより、土壌斜面の崩壊を抑制することができる。なお、割栗石代替材料１同士の隙間には必要に応じて砂利や土で埋めたり、アンカーボルトを打つことにより、さらに固定性を高めてもよい。
【００２５】
また、図３は土壌斜面２にカゴ状のネット３に複数個の割栗石代替材１を充填して得られた土留構造体２０を配したときの様子を説明する。図３に示すように、複数個の割栗石代替材１をカゴ状や袋状のネット３に充填したり、平状のネットで覆ったりすることにより、土壌に敷設または埋設された複数個の割栗石代替材１をネットで固定することができる。それにより、割栗石代替材１が脱落したり、流れたりすることを抑制することができる。
【００２６】
複数個の割栗石代替材を固定するためのネットとしては、金網や樹脂網等、特に限定なく用いられるが、本実施形態の割栗石代替材を固定するためのネットとしては、天然繊維からなる素材や、植物のつるや、生分解性繊維からなるような自然分解性素材から形成されや線材から形成されていることが環境負荷が低い点から特に好ましい。
【００２７】
また、図４は未舗装路４に複数個の割栗石代替材１を敷設または埋設した舗装構造体３０を説明するための説明図である。山道、河岸、海岸等においては、アスファルトやコンクリートでの舗装が難しく、また、舗装することにより景観を損なうことがある。このような場合、図４に示すように、未舗装路４に複数の割栗石代替材１を敷設または埋設し、突き固めることにより、地盤の安定した舗装構造を形成することができる。
【００２８】
また、図５は、畝が形成された畑３５に、複数個の割栗石代替材１を埋設して固めた土壌構造体４０を説明するための説明図である。畑においては、花卉や野菜の生育に適した水はけと保湿性とのバランスが求められる。そのために、畑に割栗石を敷設または埋設することにより水はけを調整することも考えられる。しかしながら、無機物の割栗石を敷設または埋設した場合には、永久的に残ってしまう。本発明の割栗石代替材１を埋設することにより、このような問題は解決される。また、木質繊維を含むために保水性が向上する一方、隣り合う割栗石代替材１同士の空隙から余分な水が抜けるために排水性にも優れる。さらに、割栗石代替材の炭化層から溶出する多量のミネラル分やアルカリ性物質等は土壌をアルカリ改質する効果も発揮する。
【００２９】
畑に埋設される割栗石代替材の大きさとしては、図１のような形状の場合、Ｈ及びＷで示される部分の長さが２〜４ｃｍ程度であり、見掛け体積が１０〜１００cm3程度であることが、作業性及び水はけと保湿性とアルカリ改質効果が発揮されやすい点から好ましい。大きすぎる場合には、畑に埋設する作業性がとくに低下するとともに、比表面積が小さくなるために表面からのアルカリ改質成分が溶出される量が低下する傾向がある。
【産業上の利用可能性】
【００３０】
本発明に係る割栗石代替材は、土木工事に用いられる割栗石の代替材として用いられる。また、木材として間伐材を用いた場合には、間伐材の有効利用に寄与する。
【符号の説明】
【００３１】
１    割栗石代替材
１ａ  木材層
１ｂ  炭化層
２    土壌斜面
３    ネット
４    未舗装路
１０  擁壁
２０  土留構造体
３０  舗装構造体
４０  土壌構造体
【図１】
2015061964.tif 000003
【図２】
2015061964.tif 000004
【図３】
2015061964.tif 000005
【図４】
2015061964.tif 000006
【図５】
2015061964.tif 000007